(57)【要約】【課題】装置組み立て時の取り付け誤差により発生する映像ムラを防止することのできる液晶表示装置を提供する。【解決手段】複数のサブ表示領域に分割された液晶パネル５とサブ表示領域に対応する複数の光源から成るバックライト８とを備える液晶表示装置１００において、液晶パネル５とバックライトと８の設置時の相対位置ずれに関する誤差値を記憶する誤差値記憶部１２３と、誤差値記憶部１２３により記憶された誤差値に基づいて各画素に対応する光源を特定し、光源毎に対応する画素の画像信号から光源の必要とする輝度を算出する算出手段（ＣＰＵ１２１、算出プログラム１２５ａ）と、誤差記憶部１２３により記憶された誤差値に基づいて各画素の画素位置を特定し、特定した画素位置において各画素の輝度値を光源の輝度分布により生じる輝度の過不足分を補填するように補正する補正手段（ＣＰＵ１２１、補正プログラム１２５ｃ）と、を備える。【選択図】図１
2010054791.tif 000002
【特許請求の範囲】
【請求項１】
複数のサブ表示領域に分割された液晶パネルと、当該サブ表示領域の各々に対応する複数の光源から成るバックライトと、を備える液晶表示装置において、
前記液晶パネルと前記バックライトとの設置時の相対位置ずれに関する誤差値を記憶する記憶手段と、
前記記憶手段により記憶された誤差値に基づいて、各画素に対応する光源を特定し、前記光源毎に、対応する画素の画像信号から当該光源の必要とする輝度を算出する算出手段と、
前記記憶手段により記憶された誤差値に基づいて、各画素の画素位置を特定し、特定した画素位置において、各画素の輝度値を、光源の輝度分布により生じる輝度の過不足分を補填するように補正する補正手段と、
を備えることを特徴とする液晶表示装置。
【請求項２】
前記バックライトは、ＬＥＤバックライトであることを特徴とする請求項１に記載の液晶表示装置。
【請求項３】
複数のサブ表示領域に分割された液晶パネルと、当該サブ表示領域の各々に対応する複数の光源から成るバックライトと、を備える液晶表示装置において、
前記バックライトは、ＬＥＤバックライトであり、
前記光源の各々は、複数のＬＥＤを備え、
前記液晶パネルと前記バックライトとの設置時の相対位置ずれに関する誤差値を記憶する第１記憶手段と、
前記光源内における各ＬＥＤの配置位置を記憶する第２記憶手段と、
前記第１記憶手段により記憶された誤差値に基づいて、各画素に対応する光源を特定し、前記光源毎に、対応する画素の画像信号から当該光源の必要とする輝度を算出する算出手段と、
前記第１記憶手段により記憶された誤差値に基づいて、各画素の画素位置を特定し、特定した画素位置において、各画素の輝度値を、前記第２記憶手段に記憶されたＬＥＤの配置位置に基づいて、発光するＬＥＤからの距離により生じる輝度の過不足分を補填するように補正する補正手段と、
を備えることを特徴とする液晶表示装置。
【発明の詳細な説明】
【技術分野】
【０００１】
本発明は、液晶表示装置に関する。
【背景技術】
【０００２】
近年、液晶パネルの背面側からバックライト光を照射し、液晶パネル上に画像を表示する液晶表示装置が普及している（例えば、特許文献１参照。）。
このような液晶表示装置において、液晶パネルを複数の領域Ｓに分割して各分割領域別にバックライトの光源Ｌの輝度値を調節する、いわゆるローカルディミングと呼ばれるバックライト駆動方式が知られている。このバックライト駆動方式では、画面に明るく表示される部分に対応するバックライトのＬＥＤ（Light Emitting Diode）を点灯させ、画面のその他の部分に対応するＬＥＤは点灯させない、又は低輝度で点灯させるなど、ＬＥＤを部分的に駆動させることができるため、明るい部分をさらに明るく、暗い部分はさらに暗くしてより鮮明な映像を実現することができる。
【０００３】
ここで、バックライトの各光源Ｌの輝度はある分布を持っている。図６に、光源Ｌの中央にＬＥＤを配置した場合の光源Ｌの輝度分布を示す。なお、図６では、縦軸は輝度、横軸は液晶パネルの水平方向を示している。
図６に示すように、光源Ｌは、低輝度領域と高輝度領域が緩やかな勾配を有した輝度分布となるため、上記したバックライト駆動方式においては、各光源Ｌに対応する画素の輝度値が正確な映像を表現可能な輝度値となるよう補正が行われている。
【特許文献１】特開２００２−１００４８５号公報
【発明の開示】
【発明が解決しようとする課題】
【０００４】
ところで、一般的に、上記のような液晶表示装置を組み立てた場合、液晶パネルとバックライトとは製造段階の取り付け誤差などにより相対位置がずれることがある。この結果、図６に示すように、設計値（実線）に対して点灯位置（破線）がずれることとなる。
上記した輝度値の補正は、液晶パネルとバックライトとが完全に重なった場合を想定して行われるものであるため、液晶パネルとバックライトとの相対位置がずれると適正な補正とならず、映像にムラが発生するという問題があった。
【０００５】
本発明の課題は、ローカルディミング駆動方式を用いる液晶表示装置において、液晶パネルとバックライトとの組み立て時の取り付け誤差により発生する映像ムラを防止することである。
【課題を解決するための手段】
【０００６】
前記課題を解決するために、請求項１に記載の発明は、
複数のサブ表示領域に分割された液晶パネルと、当該サブ表示領域の各々に対応する複数の光源から成るバックライトと、を備える液晶表示装置において、
前記液晶パネルと前記バックライトとの設置時の相対位置ずれに関する誤差値を記憶する記憶手段と、
前記記憶手段により記憶された誤差値に基づいて、各画素に対応する光源を特定し、前記光源毎に、対応する画素の画像信号から当該光源の必要とする輝度を算出する算出手段と、
前記記憶手段により記憶された誤差値に基づいて、各画素の画素位置を特定し、特定した画素位置において、各画素の輝度値を、光源の輝度分布により生じる輝度の過不足分を補填するように補正する補正手段と、
を備えることを特徴とする。
【０００７】
また、請求項２に記載の発明は、請求項１に記載の液晶表示装置において、
前記バックライトは、ＬＥＤバックライトであることを特徴とする。
【０００８】
また、請求項３に記載の発明は、
複数のサブ表示領域に分割された液晶パネルと、当該サブ表示領域の各々に対応する複数の光源から成るバックライトと、を備える液晶表示装置において、
前記バックライトは、ＬＥＤバックライトであり、
前記光源の各々は、複数のＬＥＤを備え、
前記液晶パネルと前記バックライトとの設置時の相対位置ずれに関する誤差値を記憶する第１記憶手段と、
前記光源内における各ＬＥＤの配置位置を記憶する第２記憶手段と、
前記第１記憶手段により記憶された誤差値に基づいて、各画素に対応する光源を特定し、前記光源毎に、対応する画素の画像信号から当該光源の必要とする輝度を算出する算出手段と、
前記第１記憶手段により記憶された誤差値に基づいて、各画素の画素位置を特定し、特定した画素位置において、各画素の輝度値を、前記第２記憶手段に記憶されたＬＥＤの配置位置に基づいて、発光するＬＥＤからの距離により生じる輝度の過不足分を補填するように補正する補正手段と、
を備えることを特徴とする。
【発明の効果】
【０００９】
本発明によれば、液晶パネルとバックライトとの設置時の相対位置ずれに関する誤差値を記憶する第１記憶手段と、第１記憶手段により記憶された誤差値に基づいて、各画素に対応する光源を特定し、光源毎に、対応する画素の画像信号から当該光源の必要とする輝度を算出する算出手段と、第１記憶手段により記憶された誤差値に基づいて、各画素の画素位置を特定し、特定した画素位置において、各画素の輝度値を、光源の輝度分布により生じる輝度の過不足分を補填するように補正する補正手段と、を備えた構成であるため、液晶パネルとバックライトとの設置時の相対位置ずれを加味した輝度補正を行うことができる。
従って、液晶パネルとバックライトとの組み立て時の取り付け誤差により発生する映像ムラを防止することができる。
【発明を実施するための最良の形態】
【００１０】
以下、本発明の実施の形態について図面を参照しながら説明する。なお、発明の範囲は図示例に限定されない。
図１は、本実施形態の液晶表示装置の要部構成を示すブロック図である。また、図２（ａ）は、本実施形態の液晶パネル５の表示領域を構成するサブ表示領域Ｓを説明するための図であり、図２（ｂ）は、本実施形態のバックライト８を構成する光源Ｌを説明するための図である。
【００１１】
本実施形態の液晶表示装置１００は、例えば、図１に示すように、信号入力部１、映像処理部２、タイミング制御部３、フレームメモリ４、液晶パネル５、走査線駆動部６、信号線駆動部７、バックライト８、輝度算出部９、バックライト制御部１０、補正部１１、制御部１２等を備える。
【００１２】
信号入力部１は、例えば、テレビジョン放送信号を受信するアンテナ及びチューナや、外部装置からの画像信号を受信する各種映像端子等を備えて構成され、入力される画像信号を受信して、映像処理部２に出力する。
【００１３】
映像処理部２は、Ａ／Ｄ変換回路、ＲＧＢ生成回路、画質調整回路等を備えて構成され、信号入力部１から供給される画像信号に基づいて、ＲＧＢのデジタル画像信号を生成し、液晶パネル５の画素数に応じたスケーリング処理を行って、１フレーム分の画像信号を生成する。さらに、１フレーム分の画像信号に対して、制御部１２から出力される画質調整信号に基づいて、ブライトネス、コントラスト、色の濃さ、色合い、シャープネス等の各種画質調整を行った後に、フレームメモリ４に出力する。
【００１４】
タイミング制御部３は、信号入力部１から供給される画像信号に基づいて、１ライン期間を示すタイミング信号と、１フレーム期間を示すタイミング信号とを生成して、液晶表示装置１００の各部に供給する。
【００１５】
フレームメモリ４は、映像処理部２から入力される画像信号をフレーム単位で蓄積し、輝度算出部９及び補正部１１に出力する。
【００１６】
液晶パネル５は、所定の間隔を隔てて配設された一対の基板の間に液晶が封入されて成る。これら一対の基板は、偏光軸が直交した２枚の偏光板で挟まれ、背面側にはバックライト８が配設されている。液晶パネル５は、その表示領域が予め定められた分割方法で分割した複数のサブ表示領域Ｓ・・・から構成されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル５は、例えば、アクティブマトリクス駆動方式を採用しており、走査線Ｘと信号線Ｙの各交点の画素に、アクティブ素子としての薄膜トランジスタ（TFT: Thin Film Transistor）が配設されている。各画素には画素電極が形成され、画素電極に対向して、対向する基板に対向電極が形成されている。また、画素電極と対向電極との対向面にはそれぞれ配向膜が形成されている。
【００１７】
走査線駆動部６は、液晶パネル５における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
信号線駆動部７は、液晶パネル５における信号線Ｙ（Ｙ１〜Ｙｑ）の各々に対応して設けられており、走査線駆動部６による各走査線Ｘの走査に同期して、映像処理部２から入力される画像信号に応じた電圧を信号線Ｙに対して印加する。
走査線駆動部６及び信号線駆動部７により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル５の背面側に設けられたバックライト８から照射される光を画素単位で通過或いは遮断させる。
【００１８】
バックライト８は、制御部１２の制御に応じて部分的に発光可能なローカルディミング型のバックライトである。
具体的には、バックライト８は、液晶パネル５の各サブ表示領域Ｓ・・・に対応する複数の光源Ｌ・・・から構成されている。光源Ｌの各々は、基板上の所定の位置に配置された複数のＬＥＤを備えており、光源Ｌ内における各ＬＥＤの配置位置は、後述する配置位置記憶部１２４に記憶されている。各光源Ｌにおいては、複数のＬＥＤのうち制御部１２により指定されたＬＥＤのみが発光されるようになっている。
また、光源Ｌに備わる各ＬＥＤは、出力可能な最大輝度が予め定められており、予め定められた最大輝度を示すデータが図示しない記憶領域に記憶されている。
すなわち、各光源Ｌは、ＬＥＤがバックライト制御部１０による駆動に応じて個別に発光可能となっており、対応するサブ表示領域Ｓ内の画素の画像信号から算出された輝度で発光するようになっている。
【００１９】
また、液晶パネル５のサブ表示領域Ｓとバックライト８の光源Ｌとは、１対１で対応した個数となるように構成されている。
具体的には、液晶パネル５の表示領域が、縦ｎ個×横ｍ個のサブ表示領域Ｓ・・・にマトリクス状に等分割されている場合、バックライト８は、液晶パネル５における縦ｎ個×横ｍ個のサブ表示領域Ｓ・・・に１対１で対応する縦ｎ個×横ｍ個の光源Ｌから構成されている。
例えば、液晶パネル５が、７６８行（ｐ行）×１０２４列（ｑ列）の画素から成る場合に、６４行×６４列の画素を含む領域を一つのサブ表示領域Ｓとして表示領域を分割すると、液晶パネル５の表示領域全体が、縦１２個（ｎ個）×横１６個（ｍ個）のサブ表示領域Ｓから構成されることとなる。このとき、バックライト８も同様に、縦１２個（ｎ個）×横１６個（ｍ個）の光源Ｌから構成されることとなる。
【００２０】
なお、以下では、左上のサブ表示領域をＳ（１、１）、右上のサブ表示領域をＳ（ｍ、１）、左下のサブ表示領域をＳ（１、ｎ）、右下のサブ表示領域をＳ（ｍ、ｎ）として説明する。また、サブ表示領域Ｓ（１、１）に対応する左上の光源をＬ（１、１）、サブ表示領域Ｓ（ｍ、１）に対応する右上の光源をＬ（ｍ、１）、サブ表示領域Ｓ（１、ｎ）に対応する左下の光源をＬ（１、ｎ）、サブ表示領域Ｓ（ｍ、ｎ）に対応する右下の光源をＬ（ｍ、ｎ）として説明する。また、その他のサブ表示領域Ｓ及び光源Ｌについても、同様の方法で符号を割り当てることとする。
【００２１】
図３は、液晶パネル５とバックライト８とが、相対的に位置ずれした状態を示す図である。図３においては、実線は、液晶パネル５を示しており、破線は、液晶パネル５から横ｘ、縦ｙだけ位置ずれしたバックライト８を示している。
このような液晶パネル５とバックライト８との相対的な位置ずれは、製造段階の取り付け誤差などにより発生するものである。本実施形態においては、この液晶パネル５とバックライト８との設置時の相対位置ずれは、誤差値（ｘ、ｙ）として、後述する誤差値記憶部１２３に記憶されており、輝度算出部９や補正部１１によって参照されるようになっている。
【００２２】
輝度算出部９は、誤差値（ｘ、ｙ）に基づいて、各画素に対応する光源Ｌを特定し、光源Ｌ毎に、対応する画素の画像信号から当該光源Ｌの必要とする輝度を算出する。
具体的には、輝度算出部９は、各画素ごとに対向する位置にある光源Ｌを特定し、フレームメモリ４から取り込んだ画像信号に基づいて、光源Ｌ毎に各光源Ｌに必要な輝度を算出し、算出した輝度を制御部１２に出力する。
【００２３】
バックライト制御部１０は、制御部１２からの指示にしたがって、バックライト８を構成する各光源Ｌに備わる複数のＬＥＤのうち、制御部１２から指示されたＬＥＤのみを発光させることで、各光源Ｌを、対応関係にあるサブ表示領域Ｓ内の画素の画像信号から算出された輝度で発光させる。
【００２４】
補正部１１は、誤差値（ｘ、ｙ）に基づいて、各画素の画素位置を特定し、特定した画素位置において、各画素の輝度値を、光源Ｌの輝度分布により生じる輝度の過不足分を補填するように補正する。
また、このとき補正部１１は、特定した画素位置において、各画素の輝度値を、各光源ＬのＬＥＤの配置位置に基づいて、発光するＬＥＤからの距離により生じる輝度の過不足分を補填するように補正する。
【００２５】
具体的には、補正部１１は、各光源Ｌが、誤差値（ｘ、ｙ）だけずれた画素に対応するものであるとして、各画素の輝度値を補正する。
例えば、図３に示すように位置ずれした場合、補正部１１は、例えば、光源Ｌ（１、１）を、サブ表示領域Ｓ（１、１）、Ｓ（２、１）、Ｓ（１、２）、Ｓ（２、２）のそれぞれ対向する領域（図３の斜線領域）と対応させており、サブ表示領域Ｓ（１、１）、Ｓ（２、１）、Ｓ（１、２）、Ｓ（２、２）の各画素の輝度値について、目標の輝度に達していない領域については、その領域内の画素の輝度を高くする補正を行うことで輝度の不足分を補填する。一方、目標の輝度を超える領域については、その領域内の画素の輝度を低くする補正を行うことで輝度の過多分を補填する。
このとき、光源Ｌにて発光するＬＥＤと各画素との距離によって輝度の過不足が生じた場合、この過不足分も補填するようになっている。
【００２６】
制御部１２は、例えば、ＣＰＵ（Central Processing Unit）１２１、ＣＰＵ１２１のワークエリアとして用いられるＲＡＭ（Random Access Memory）１２２、データの書換え及び消去が可能なＥＥＰＲＯＭ（Electrically Erasable Programmable ROM）からなる誤差値記憶部１２３及び配置位置記憶部１２４、ＣＰＵ１２１によって実行される各種プログラムを格納するＲＯＭ１２５（Read Only Memory）等を備えて構成される。
【００２７】
ＣＰＵ１２１は、液晶表示装置１００の各部から入力される入力信号に応じて、ＲＯＭ１２５に格納された各種プログラムを実行するとともに、実行にかかるプログラムに基づいて各部に出力信号を出力することにより、液晶表示装置１００の動作全般を統括制御する。
【００２８】
誤差値記憶部１２３は、第１記憶手段（記憶手段）として、液晶パネル５とバックライト８との設置時の相対位置ずれに関する誤差値（ｘ、ｙ）を記憶する。ここで、誤差値（ｘ、ｙ）は、液晶表示装置１００の出荷前に検出され記憶されるものである。
具体的な検出方法としては、例えば、バックライト８を全て点灯させた場合の画像を撮像し、この画像の直交する２方向に沿った走査によって輝度値を計測し、この輝度値を解析することによって誤差値（ｘ、ｙ）を検出する。
すなわち、液晶パネル５とバックライト８との相対位置がずれている場合には、重なっていない部分での輝度値が低下するので、その境目を検出することで、相対的な位置ずれに関する誤差値（ｘ、ｙ）が把握できる。
一方、液晶パネル５とバックライト８とが、完全に重なるように配置されている場合には、相対位置ずれがないため誤差値（ｘ、ｙ）＝（０、０）であり、このとき、例えば、液晶パネル５のサブ表示領域Ｓ（１、１）と、バックライト８の光源Ｌ（１、１）とが完全に重なるようになっている。
なお、誤差値（ｘ、ｙ）の検出方法は、上記した方法に限られるものではない。
【００２９】
配置位置記憶部１２４は、第２記憶手段として、縦ｎ個×横ｍ個の各光源Ｌに備わるＬＥＤの配置位置を記憶する。
図４（ａ）は、配置位置記憶部１２４の一例である。
例えば、各光源Ｌ（ｍ、ｎ）が、光源Ｌ内の４つの端部領域にそれぞれＬＥＤａ〜ｄを分散して備える場合（図４（ｂ）参照。）、配置位置記憶部１２４には、図４（ａ）に示すように、光源Ｌ（１、１）〜光源Ｌ（ｍ、ｎ）について、各ＬＥＤａ〜ｄの配置位置を、例えば、「左上端部」「右上端部」「左下端部」「右下端部」のように記憶する。
なお、ＬＥＤの配置位置は、バックライト８／光源Ｌにおける何らかの数値データにより記憶されていても良い。
【００３０】
ＲＯＭ１２５は、プログラム格納エリア内に、例えば、算出プログラム１２５ａ、発光制御プログラム１２５ｂ、補正プログラム１２５ｃ等を備えている。
【００３１】
算出プログラム１２５ａは、例えば、ＣＰＵ１２１に、誤差値記憶部１２３に記憶された誤差値（ｘ、ｙ）基づいて、サブ表示領域Ｓの各画素に対応する光源Ｌを特定し、光源Ｌ毎に、対応する画素の画素信号から当該光源Ｌの必要とする輝度を算出する機能を実現させるためのプログラムである。
具体的には、ＣＰＵ１２１は、各画素ごとに対向する位置にある光源Ｌを特定し、フレームメモリ４から取り込んだ画像信号に基づいて、光源Ｌ毎に各光源Ｌに必要な輝度を算出する。
なお、サブ表示領域Ｓの各画素の位置と、各画素に対応する光源との関係は予め設定されるものである。例えば、サブ表示領域Ｓ（１、１）と光源（１、１）とが重なるように設定されており、サブ表示領域Ｓ（１、１）の各画素と、これに対応する光源（１、１）のＬＥＤとは予め決められている。このため、一の画素の画素位置に上記誤差値を足すことにより実際の画素の位置を演算することができる。また、この実際の画素位置に対応した光源も求めることができる。
ＣＰＵ１２１は、かかる算出プログラム１２５ａを実行することにより、輝度算出部９とともに算出手段として機能する。
【００３２】
発光制御プログラム１２５ｂは、例えば、ＣＰＵ１２１に、算出プログラム１２５ａにより決定された輝度となるように光源Ｌ毎のＬＥＤを発光させる機能を実現させるためのプログラムである。
具体的には、ＣＰＵ１２１は、算出プログラム１２５ａの実行において、光源Ｌ（１、１）について、例えば、ＬＥＤ「Ｌ（１、１）ａ」と、ＬＥＤ「Ｌ（１、１）ｂ」とが、発光させるＬＥＤとして決定されると、バックライト制御部１０により、これら２つのＬＥＤのみを発光させ、輝度算出部９により算出された必要な輝度で光源Ｌ（１、１）を発光させる。
このとき、ＣＰＵ１２１は、ＬＥＤ「Ｌ（１、１）ｂ」、ＬＥＤ「Ｌ（１、１）ａ」を、必要な輝度をＬＥＤの数で等分割した同じ輝度で発光させても良い。或いは、ＬＥＤの発光順序に所定の優先順位をつけておき、優先順位が高いＬＥＤを、そのＬＥＤが出力可能な最大輝度で発光させ、必要な輝度に達しない分の輝度を、優先順位の低いＬＥＤで補うように発光させても良い。
【００３３】
補正プログラム１２５ｃは、例えば、ＣＰＵ１２１に、誤差値記憶部１２３に記憶された誤差値（ｘ、ｙ）に基づいて、各画素の画素位置特定し、特定した画素位置において、各画素の輝度値を、光源Ｌの輝度分布により生じる輝度の過不足分を補填するように補正する機能を実現させるためのプログラムである。
さらに、補正プログラム１２５ｃは、例えば、ＣＰＵ１２１に、上記のように特定した画素位置において、各画素の輝度値を、各光源ＬのＬＥＤの配置位置に基づいて、発光するＬＥＤからの距離により生じる輝度の過不足分を補填するように補正する機能を実現させるためのプログラムである。
具体的には、ＣＰＵ１２１は、上述したように、各光源ＬにおけるＬＥＤを誤差値記憶部１２３に記憶された誤差値（ｘ、ｙ）だけずれた画素に対応したものとして、各画素の輝度分布を調整する。
また、このとき、ＣＰＵ１２１は、各光源Ｌに備わる全てのＬＥＤを発光させない場合において、発光させるＬＥＤの配置位置に起因するサブ表示領域Ｓの画像の輝度ムラを補填するように、サブ表示領域Ｓ内の画素の輝度を調整する。
【００３４】
例えば、図４（ｂ）に示すように、各光源Ｌにおいて、４つのＬＥＤを光源Ｌの端部領域に分散させるように配置した配置パターンを想定する。このとき、左上のＬＥＤａ（例えば、Ｌ（１、１）ａ）のみを発光させた場合、対応するサブ表示領域Ｓ（例えば、Ｓ（１、１）の画像において、左上端部の領域から離れるほど輝度が不足する。
このような場合、ＣＰＵ１２１は、補正部１１に、サブ表示領域Ｓ（１、１）の画像信号に対して、左上端部の領域から離れるほど画像信号の輝度を高くする補正を行わせる。また、サブ表示領域Ｓの画像において目標の輝度よりも輝度が高くなる領域がある場合には、ＣＰＵ１２１は、補正部１１に、その領域における画像信号の輝度を低くする補正を行わせる。
これにより、設置時の相対位置ずれがあった場合でも、輝度ムラを抑制して各画素の必要な輝度に即した適切な表示を行うことができる。また、光源Ｌ内のＬＥＤをどのように配置しても、また、どのＬＥＤを発光させても、輝度ムラを抑制して各画素の必要な輝度に即した適切な表示を行うことができる。
ＣＰＵ１２１は、かかる補正プログラム１２５ｃを実行することにより、補正手段として機能する。
【００３５】
次に、図５のフローチャートを参照しながら、本実施形態の液晶表示装置１００において行われる発光制御処理の流れについて説明する。
なお、この処理を実行するにあたり、誤差値記憶部１２３には、上記した液晶パネル５とバックライト８との設置時の誤差値（ｘ、ｙ）が記憶されている。
【００３６】
まず、ＣＰＵ１２１は、ステップＳ１において、輝度算出部９により、サブ表示領域Ｓの画素毎に対向する位置にある光源Ｌを特定し、サブ表示領域Ｓ内の画素の画像信号から、光源Ｌ毎に必要な輝度を算出する。
次いで、ＣＰＵ１２１は、ステップＳ２において、輝度算出部９により算出された輝度に基づいて、光源Ｌ毎の発光させるＬＥＤを決定する。
次いで、ＣＰＵ１２１は、ステップＳ３において、補正部１１により、サブ表示領域Ｓ内の各画素の輝度値を補正する。
次いで、ＣＰＵ１２１は、ステップＳ４において、液晶パネル５の走査と同期して、バックライト制御部１０によりＬＥＤを発光させ、各サブ表示領域Ｓ内の画素の画像信号から算出された輝度で各光源Ｌを発光させ、本処理を終了する。
【００３７】
以上説明した本実施形態における液晶表示装置１００によれば、液晶パネル５とバックライト８との設置時の相対位置ずれに関する誤差値（ｘ、ｙ）を記憶する第１記憶手段（誤差値記憶部１２３）と、第１記憶手段により記憶された誤差値に基づいて、各画素に対応する光源Ｌを特定し、光源Ｌ毎に、対応する画素の画像信号から当該光源の必要とする輝度を算出する算出手段（輝度算出部９、ＣＰＵ１２１、算出プログラム１２５ａ）と、第１記憶手段により記憶された誤差値（ｘ、ｙ）に基づいて、各画素の画素位置を特定し、特定した画素位置において、各画素の輝度値を、光源の輝度分布により生じる輝度の過不足分を補填するように補正する補正手段（補正部１１、ＣＰＵ１２１、補正プログラム１２５ｃ）と、を備えた構成であるため、液晶パネル５とバックライト８との設置時の相対位置ずれの加味された輝度補正ができることとなる。
従って、組み立て時の取り付け誤差により発生する映像ムラが防止され、ローカルディミング駆動方式による、鮮やかな画質、生動感のある映像等の効果を十分得ることができる。
【００３８】
また、各サブ表示領域Ｓの画素の輝度値が、発光するＬＥＤからの距離による輝度の過不足分を補填するように補正されるため、ＬＥＤをどのように配置しても、発光させるＬＥＤの配置位置に起因する画質への悪影響を防止して、適切な画像表示が可能となる。
【００３９】
なお、本発明の範囲は上記実施形態に限られることなく、本発明の趣旨を逸脱しない範囲において種々の改良並びに設計の変更を行っても良い。
例えば、サブ表示領域Ｓ及び光源Ｌの分割数及び分割方法は任意であり、少なくとも２つ以上の領域に分割されればよく、また、等分割でなくとも良い。
また、光源Ｌに備わるＬＥＤの数及び配置位置は、上記実施形態の例に限られない。
【図面の簡単な説明】
【００４０】
【図１】本実施形態における液晶表示装置の要部構成を例示するブロック図である。
【図２】（ａ）は、液晶パネルの表示領域を構成するサブ表示領域について説明する図であり、（ｂ）は、各サブ表示領域に対応して設けられた光源について説明する図である。
【図３】液晶パネルの設計位置からのずれを示す図である。
【図４】（ａ）は、配置位置記憶部の一例であり、（ｂ）は、光源のＬＥＤ配置パターンを模式的に示す図である。
【図５】本実施形態の液晶表示装置において行われる発光制御処理の流れを示すフローチャートである。
【図６】光源の輝度分布を説明するための図である。
【符号の説明】
【００４１】
１００  液晶表示装置
１  信号入力部
２  映像処理部
３  タイミング制御部
４  フレームメモリ
５  液晶パネル
６  走査線駆動部
７  信号線駆動部
８  バックライト
９  輝度算出部
１０  バックライト制御部
１１  補正部
１２  制御部
１２３  誤差値記憶部
１２４  配置位置記憶部
１２５ａ  算出プログラム
１２５ｂ  発光制御プログラム
１２５ｃ  補正プログラム
【図１】
2010054791.tif 000003
【図２】
2010054791.tif 000004
【図３】
2010054791.tif 000005
【図４】
2010054791.tif 000006
【図５】
2010054791.tif 000007
【図６】
2010054791.tif 000008